(57)【要約】      （修正有）【課題】簡単な構成で、生花付きオアシスを収納した桶に、名札支持棒を安定直立せしめる装置を提供する。【解決手段】発泡樹脂製オアシス５と桶４の側壁間の間隙に名札を備える名札支持棒２を立設する名札支持棒直立安定装置である。前記名札支持棒２に、前記名札支持棒２の横幅より幅広の横寸法で縦長の矩形板で形成された名札支持棒安定ガイド板６を取付ける。また、前記発泡樹脂製オアシス５と桶４の側壁間に前記名札支持棒安定ガイド板６を固定した名札支持棒２を挿入し、更に、名札支持棒２と桶の側壁の隙間に噛み込ませる楔１０を具備して名札支持棒直立安定装置とし、桶４に名札支持棒２を安定的に立設することができる。【選択図】図４
0003172641.tif 000002
【実用新案登録請求の範囲】
【請求項１】
生花を保持する発泡樹脂製オアシスを桶に収納し、前記発泡樹脂製オアシスと桶の側壁間の間隙に名札を備える名札支持棒を立設する名札支持棒直立安定装置において、
前記名札支持棒に、前記名札支持棒の横幅より幅広の横寸法で縦長の矩形板で形成された名札支持棒安定ガイド板を取付けると共に、前記発泡樹脂製オアシスと桶の側壁間に前記名札支持棒安定ガイド板を取付けた名札支持棒を挿入した際、名札支持棒と桶の側壁の隙間に噛み込ませる楔を具備して成ることを特徴とする名札支持棒直立安定装置。
【考案の詳細な説明】
【技術分野】
【０００１】
この考案は、桶に配置した生花を保持するオアシス、即ち、生花保持用発泡樹脂製オアシスに盛った生花に添えて立設する名札支持棒の直立安定化を図るための名札支持棒直立安定装置に係るものであり、特に、簡単な部品で、名札支持棒を安定的に直立させることができるように構成した名札支持棒直立安定装置に関するものである。
【背景技術】
【０００２】
従来、生花に添えて名札を支持する名札棒を立設するための名札支持体に関する発明として、特開２００７−１９０２６７号公報に記載のものが開発されていた。
【先行技術文献】
【特許文献】
【０００３】
【特許文献１】特開２００７−１９０２６７号公報
【考案の概要】
【考案が解決しようとする課題】
【０００４】
前記先行技術文献に記載の発明は、一つは、花器（桶）と該花器に生けられた花同士の隙間を目立たなくするために花の背後において花器に立設された背板と、該背板に形成された名札ホルダーとを備え、前記背板が前記花器に対して着脱自在としたものである（請求項２記載に係る発明）。
【０００５】
ところで、前記先行技術文献に記載の発明は、花器（桶）と該花器に生けられた花同士の隙間に前記背板を前記花器に対して着脱自在としたものであるが、前記背板を垂直に立設させることが困難であった。
【０００６】
そこで、前記容器に、前記背板の起立状態を維持するために、背板保持部を形成することによって、対処している（請求項４記載に係る発明）。
【０００７】
しかしながら、このような構成では、容器に予め、背板保持部を成形することとなり、複雑な機構と労力を必要とし煩瑣であった。
【０００８】
そこで、桶に載置した生花を保持するオアシス、即ち、生花保持用発泡樹脂製オアシスに盛った生花に添えて立設する名札支持棒を、簡単な構成で、直立に、安定的に立設するためにはどのようにすべきかが技術上の課題となっており、本考案は、このような技術的課題を解決することを目的とするものである。
【課題を解決するための手段】
【０００９】
本考案は、前記目的を達成するために提案されたものであり、
生花を保持する発泡樹脂製オアシスを桶に収納し、前記発泡樹脂製オアシスと桶の側壁間の間隙に名札を備える名札支持棒を立設する名札支持棒直立安定装置において、
前記名札支持棒に、前記名札支持棒の横幅より幅広の横寸法で縦長の矩形板で形成された名札支持棒安定ガイド板を取付けると共に、前記発泡樹脂製オアシスと桶の側壁間に前記名札支持棒安定ガイド板を取付けた名札支持棒を挿入した際、名札支持棒と桶の側壁の隙間に噛み込ませる楔を具備して成ることを特徴とする名札支持棒直立安定装置を提供するものである。
【考案の効果】
【００１０】
本考案は、名札支持棒の横幅より幅広の横寸法で縦長の矩形板で形成された名札支持棒安定ガイド板を、前記名札支持棒に取付けることを通じて、簡単な矩形版より構成された支持棒安定ガイド板を名札支持棒に固定するだけの仕組みで略安定的に名札支持棒を立設し、その上で、名札支持棒と桶の側壁の隙間に楔を噛み込ませることを通じて、発泡樹脂製オアシスの弾性により安定的確実に、名札支持棒を直立立設することができる。
【００１１】
また、本考案は名札支持棒の外、名札支持棒安定ガイド板と楔の３点のみで、既存の発泡樹脂製オアシスを載置した桶の側壁と発泡樹脂製オアシス間の間隙に、支持棒安定ガイド板付き名札支持棒を挿入し、更に該間隙に楔を噛み込ませるだけで、名札支持棒を直立安定的に立設することができるので、機構簡単、部品数希少、コスト低減という有用性をもたらすことを期待することがきる。
【００１２】
さらに、本考案によれば、桶に名札支持棒を受けるための受け部材等の格別の機構を備えることを要せず、又、名札支持棒の先端等に受け部に適する形状にするという機構も要せず、単に、発泡樹脂製オアシスの弾力性により、発泡樹脂製オアシスと桶の側壁間の間隙を楔で調整するのみで、簡単に、名札支持棒を、発泡樹脂製オアシスを収納した桶に直立に支持立設することが可能である。
【００１３】
本考案においては、発泡樹脂製オアシスを収納してなる桶であれば、如何なる形状の桶であっても、当該桶の機構に予め所定の形状、構造上の特定的な仕組みを必要とせず、汎用性が高く、使い勝手が一層向上するものである。
【図面の簡単な説明】
【００１４】
【図１】本考案に係る名札支持棒直立安定装置の正面斜視図である。
【図２】本考案に係る名札支持棒直立安定装置の構成部品に関するものであり、（ａ）は名札支持棒の正面図、（ｂ）は前記名札支持棒の側面図、（ｃ）は名札支持棒安定ガイド板の正面図、（ｄ）は同名札支持棒安定ガイド板の裏面図、（ｅ）は同名札支持棒安定ガイド板の上面図、（ｆ）は楔の正面図、（ｇ）は同楔の裏面図、（ｈ）は同楔の上面図、（ｉ）は同楔の側面図である。
【図３】本考案に係る名札支持棒に名札支持棒安定ガイド板を固定する態様を示し、（ａ）は名札を付けた名札支持棒に名札支持棒安定ガイド板を取付けた裏面図、（ｂ）は同名札支持棒に名札支持棒安定ガイド板を取付けた正面図、（ｃ）は、同名札支持棒に名札支持棒安定ガイド板を取付け、且つ楔を添えた一部破断側面図である。
【図４】本考案に係る名札支持棒安定ガイド板付き名札支持棒を楔と共に桶側壁と発泡樹脂製オアシスの間隙に挿入固定した状態を示し、（ａ）は一部破断側断面図、（ｂ）は発泡樹脂製オアシスに生花を生ける態様の斜視図である。
【考案を実施するための形態】
【実施例１】
【００１５】
以下、本考案の一実施例につき、図面を参照して、詳述することとする。図１中、１は、名札であり、該名札１は、名札支持棒２に支持され、該名札支持棒２は、生花３を盛った発泡樹脂製オアシス５を収納する桶４の側壁と該発泡樹脂製オアシス５との間隙に立設されている。
【００１６】
前記名札支持棒２は、名札１を支持しつつ、桶３に立設するものであるが、前記名札支持棒２に名札１を支持するには、名札１の裏面に形成された名札装着装置（後述図３の符号８参照）に挿入して、名札支持棒２上端に載置する。該名札支持棒２の素材は木、プラスチック、金属等、如何なるものでも構わないが、簡単に入手できる木製のものが感触もよく安価である。
【００１７】
図２中、６は、名札支持棒安定ガイド板である。名札支持棒安定ガイド板６は、名札支持棒２の横幅より幅広の横寸法で縦長の矩形板で形成されており、名札支持棒２を桶４に立設するに当たり、名札支持棒２が、発泡樹脂製オアシス５と桶４の側壁との間隙において、名札支持棒２が安定的に直立するために、前記発泡樹脂製オアシス５に面する平板状の正面部を擁するところの名札支持棒安定ガイド板６を名札支持棒２に取付けて、前記名札支持棒２のみでは安定性を保持できない恐れを解消する機能を有するものである。
【００１８】
名札支持棒安定ガイド板６は、前記名札支持棒２に取付けて使用するものであり、取付け方は、格別特定しないが、名札支持棒安定ガイド板６の前面からビス７等によって、名札支持棒２に固着することができる。
【００１９】
名札支持棒安定ガイド板６は、正面が平面状であり、裏面には前記名札支持棒２の前面から該名札支持棒の両側面を挟持するために突起９，９が二個対峙して設けられている。斯かる対峙する突起は、該名札支持棒安定ガイド板６の裏面に上下に設けると一層安定化するが、必須ではない。
該突起９，９によって名札支持棒２を強烈に挟持すれば、格別、該支持棒への固定手段たるビスを要しないが、上下方向にスライドする恐れがあるから、取り扱い上注意が必要である。
【００２０】
名札支持棒安定ガイド板６は、木、金属、プラスチック等、如何なる素材で出来ていても構わないが、プラスチックで構成されている場合は、成形がし易く、軽くて、丈夫であるから、便宜である。
【００２１】
図２中、１０は、楔である。この楔１０は、発泡樹脂製オアシスと桶の側壁の間隙に前記名札支持棒安定ガイド板６を取り付けた名札支持棒２を立設した際、間隙部に緩みが生じやすく、該緩みの発生を回避し、名札支持棒２を安全確実に桶に立設するための噛み込み手段として機能するものである。
【００２２】
楔１０も、成形素材につき、格別限定はないが、木製が入手し易く、感触も良好であり、コストも低い。同図中、１１は、該楔１０の裏面に形成したテーパ面であり、このテーパ面１１を通じて、前記発泡樹脂製オアシス５と桶４の側壁間の間隙に挿入した前記名札支持棒安定ガイド板６を取付けた名札支持棒２を、発泡樹脂製オアシス５側に漸次、押圧圧縮せしめる機能を有する。
【００２３】
図３（ａ）中、８は、名札１の裏面に形成された名札装着装置であり、該名札装着装置８に名札支持棒２の上端を挿入して、名札１を該名札支持棒２の上端に載置支持するものである。名札装着装置８は公知の技術であるが、名札を任意に変更し、取付ける際、単に装着の代替だけで出来るから便宜である。斯かる態様の名札支持棒２の下方に、名札支持棒安定ガイド板６が取付けられている。
【００２４】
図３（ｂ）は、前記名札１を装着した名札支持棒２の下方に名札支持棒安定ガイド板６を取り付けた状態の正面図であり、当該名札支持棒安定ガイド板６が取り付けられたた正面が、発泡樹脂製オアシス５と接して、名札支持棒安定ガイド板６が名札支持棒２を安定的に直立させることができる。
【００２５】
図３（ｃ）は、一部を破断した、名札支持棒直立ガイド板６の付いた名札支持棒２の裏面側に楔１０を置いた状態の一部破断側面図であり、斯かる態様で以って、発泡樹脂製オアシス５と桶４の側壁間の間隙における緊密に発泡樹脂製オアシス５を押圧することができるものである。
【００２６】
図４は、名札支持棒安定ガイド板６を付した名札支持棒２を楔１０と共に桶４の側壁と発泡樹脂製オアシス５の間隙に挿入固定した状態を示し、（ａ）は一部破断した側断面図である。名札支持棒２の前面に取付けた名札支持棒安定ガイド板６の前面を桶４に収納した発泡樹脂製オアシス５の桶４の側壁側の外周面に当接しつつ押圧し、該発泡樹脂製オアシス５の弾性力に抗して圧縮することを通じて、該名札支持棒２を立設するものであり、更に、発泡樹脂製オアシス５と桶４の間隙の緩みを名札支持棒２の裏面に噛み込ませた楔１０の裏面のテーパ面１１を利用して、緊密にし、該名札支持棒２を直立安定化せしめるものである。
【００２７】
図４中、（ｂ）は、桶４に収納される発泡樹脂製オアシス５に、生花３を保持せしめる状況を示す斜視図である。発泡樹脂製オアシス５は公知であり、水分を含んだ軟質のスポンジ状物質で、生花を刺し込んで保持するフラワーベッドの役目をするものである。発泡樹脂製オアシス５のバウンド力に抗して、前記楔１０がそのテーパ面１１を利用して徐々に、発泡樹脂製オアシス５中心側に押圧して、名札支持棒安定ガイド板６を付した名札支持棒２の立設の安全性に資することができる。
【００２８】
本考案に係る名札支持棒直立安定装置は、以上説明した通り、名札支持棒２、名札支持棒安定ガイド板６、楔１０のスリーピースであり、各構成部材の機構も、構造が簡単であり、製造が容易にして、取り扱いも簡単であり、コストもまた安価である。
【００２９】
そして、本考案においては、生花３を保持する発泡樹脂製オアシス５を収納する桶４に、予め、名札支持棒２を保持若しくは取付けるための機構を必要としておらず、既存の桶、容器が存在すれば、如何なる形状、態様のものでも、利用に供することができ、極めて便宜な考案である。
【００３０】
尚、本考案は、本考案の基本的精神を逸脱しない限り種々の改変をなすことができ、そして、本考案が該改変されたものに及ぶことは当然である。
【符号の説明】
【００３１】
１          名札
２          名札支持棒
３          生花
４          桶
５          発泡樹脂製オアシス
６          名札支持棒安定ガイド板
７          ビス
８          名札装着装置
９          突起
１０        楔
１１        テーパ面
【図１】
0003172641.tif 000003
【図２】
0003172641.tif 000004
【図３】
0003172641.tif 000005
【図４】
0003172641.tif 000006